(57)【要約】【課題】ライスセンター等では、その施工の関係上できるだけ収容庫などの設置面積を少なくすることが求められるが、籾摺りによって生じる籾殻に対しては、重量は小さいものの嵩が大きいため、大きな容積の収容庫を準備する必要があると共に、籾殻搬送管も太く形成する必要があり、それによりに多大な費用を要するという問題があった。【解決手段】籾摺部（１００）及び風選部（２００）と、この風選部（２００）からの籾殻が通過する籾殻搬送管と、この籾殻搬送管に籾殻搬送の空気を供給する籾殻搬送ファン（５７）と、前記籾殻搬送管の出口に接続した籾殻収容庫（５５）とを備えた籾殻処理設備において、前記風選部（２００）と前記籾殻搬送ファン（５７）との間に籾殻粉砕機（５１）を設けることを特徴とする籾殻粉砕処理設備により上記問題を解決した。【選択図】図２
2013086067.tif 000002
【特許請求の範囲】
【請求項１】
籾米を脱ぷする籾摺部（１００）と、
この籾摺部（１００）で生じた籾殻を籾殻選別ファン（１２）により分離する風選部（２００）と、
この風選部（２００）からの籾殻が通過する籾殻搬送管と、
この籾殻搬送管に籾殻搬送の空気を供給する籾殻搬送ファン（５７）と、
前記籾殻搬送管の出口に接続した籾殻収容庫（５５）とを備えた籾殻処理設備において、
前記風選部（２００）と前記籾殻搬送ファン（５７）との間に籾殻粉砕機（５１）を設けることを特徴とする籾殻粉砕処理設備。
【請求項２】
前記籾殻粉砕機（５１）の籾殻搬入口に、
籾殻一時収容タンク（５２）を連設することを特徴とした請求項１に記載の籾殻粉砕処理設備。
【請求項３】
前記籾殻搬送ファン（５７）が、加圧送風ファンであり、
この籾殻搬送ファン（５７）からの搬送空気が、
前記籾殻粉砕機（５１）の粉砕籾殻出口の側方から供給されると共に、
前記粉砕籾殻出口にロータリーバルブ（５３）を設けることを特徴とする請求項１または請求項２に記載の籾殻粉砕処理設備。
【請求項４】
前記籾殻収容庫（５５）が、
二以上の塵芥受入口を有することを特徴とする請求項１から請求項３に記載の籾殻粉砕処理設備。
【請求項５】
前記籾殻収容庫（５５）が、
水分を供給する湿式収容庫（５５Ａ）と、水分を供給しない乾式収容庫（５５Ｂ）とから構成され、
外気温度により、破砕籾殻の搬送先を選択する制御機を有することを特徴とする請求項１から請求項４に記載の籾殻粉砕処理設備。
【発明の詳細な説明】
【技術分野】
【０００１】
本発明は、籾摺部で生じた籾殻を処理する設備に関するものである。
【背景技術】
【０００２】
従来、収穫した籾米を乾燥等して出荷するライスセンターのような大型の設備においては、玄米などを貯蔵する収容庫だけでなく、籾摺り工程で生じた籾殻を貯蔵する籾殻専用の収容庫を複数用意していた。このような大型の設備において籾殻を処理する主な設備は、籾摺部・風選部を有する籾摺選別装置と、この籾摺選別装置の風選部で分離した籾殻が通過するための籾殻搬送管と、この籾殻搬送管に空気を供給する籾殻搬送ファンと、籾殻搬送管に接続した籾殻収容庫とである（以後これらと、これらの付属品を含めて籾殻処理設備とする）。籾殻処理設備においては、籾摺り部で乾燥機から搬出される籾米を脱ぷした後、風選部で籾殻を分離し、その籾殻は籾殻搬送ファンにより籾殻搬送管内を通過して籾殻収容庫に蓄積される（特許文献１）。
【先行技術文献】
【特許文献】
【０００３】
【特許文献１】特開２００８−１８３５４９
【発明の概要】
【発明が解決しようとする課題】
【０００４】
玄米から剥離した後の籾殻は、重量は小さいものの嵩が大きいため、大きな容積の収容庫を要すると共に、風選部とその収容庫を接続する籾殻搬送管も太く形成する必要がある。ライスセンターでは、その施工の関係上できるだけ設置面積を少なく、また内部の要素の体積を小さくすることが求められるが、嵩の大きい籾殻の収容スペースは大きくせざるをえず問題となっていた。また、風選部と収容庫を接続する搬送管も太く、そして籾殻搬送ファンを大きくする必要があり、その施工に多大な費用を要することとなっていた。
【課題を解決するための手段】
【０００５】
本発明は、上記課題を解決すべく次のような技術的手段を講じた。
すなわち、請求項１記載の発明は、籾米を脱ぷする籾摺部（１００）と、この籾摺部（１００）で生じた籾殻を籾殻選別ファン（１２）により分離する風選部（２００）と、この風選部（２００）からの籾殻が通過する籾殻搬送管と、この籾殻搬送管に籾殻搬送の空気を供給する籾殻搬送ファン（５７）と、前記籾殻搬送管の出口に接続した籾殻収容庫（５５）とを備えた籾殻処理設備において、前記風選部（２００）と前記籾殻搬送ファン（５７）との間に籾殻粉砕機（５１）を設けることを特徴とする籾殻粉砕処理設備である。
【０００６】
また、請求項２記載の発明は、前記籾殻粉砕機（５１）の籾殻搬入口に、籾殻一時収容タンク（５２）を連設することを特徴とした請求項１に記載の籾殻粉砕処理設備である。
【０００７】
また、請求項３記載の発明は、前記籾殻搬送ファン（５７）が、加圧送風ファンであり、この籾殻搬送ファン（５７）からの搬送空気が、前記籾殻粉砕機（５１）の粉砕籾殻出口の側方から供給されると共に、前記粉砕籾殻出口にロータリーバルブ（５３）を設けることを特徴とする請求項１または請求項２に記載の籾殻粉砕処理設備である。
【０００８】
また、請求項４記載の発明は、前記籾殻収容庫（５５）が、二以上の塵芥受入口を有することを特徴とする請求項１から請求項３に記載の籾殻粉砕処理設備である。
【０００９】
また、請求項５記載の発明は、前記籾殻収容庫（５５）が、水分を供給する湿式収容庫（５５Ａ）と、水分を供給しない乾式収容庫（５５Ｂ）とから構成され、外気温度により、破砕籾殻の搬送先を選択する制御機を有することを特徴とする請求項１から請求項４に記載の籾殻粉砕処理設備である。
【発明の効果】
【００１０】
請求項１記載の発明によれば、風選部２００と籾殻搬送ファン５７との間に籾殻粉砕機５１を設けることにより、籾殻を破砕して嵩の小さい破砕籾殻とすることができ、それを搬送する籾殻搬送ファン５７を小型化したり、籾殻搬送管を細くすることができる。また、籾殻収容庫５５を小さくできる。
【００１１】
請求項２記載の発明によれば、籾殻粉砕機５１の籾殻搬入口に、籾殻一時収容タンク５２を連設することにより、一定量の籾殻を確実に破砕機に供給できる。
【００１２】
請求項３記載の発明によれば、粉砕籾殻搬出口にロータリーバルブ５３を設けることにより、籾殻送風ファン５７からの空気によって粉砕籾殻が粉砕機５１の粉砕籾殻出口から入り込むことを防止できる。
【００１３】
請求項４記載の発明によれば、籾殻収容庫５５が二以上の塵芥受入口を有することにより、乾燥機から排出された塵芥等とその収容庫に収容することができ、塵芥等のために新たに収容庫を設ける必要がなくなる。
【００１４】
請求項５記載の発明によれば、外気温度により粉砕籾殻の収容先を、湿式収容庫５５Ａと乾式収容庫５５Ｂへ選択する制御機を有することにより、所定温度以上の場合には湿式の湿式収容庫５５Ａを用いて収容効率をあげることができると共に、所定温度以下の場合には乾式収容庫５５Ｂを用いて内部の氷結を防止し、粉砕籾殻が搬出できないという事態を自動的に防止することができる。
【図面の簡単な説明】
【００１５】
【図１】籾殻処理設備の一部を構成する籾摺選別装置の正面図である。
【図２】本発明の要部である籾殻破砕機５１周辺の構成図である。
【図３】籾摺破砕機５１と、破砕籾殻を貯蔵する籾殻収容庫５５との接続図である。
【図４】籾殻収納庫５５の断面図である。
【発明を実施するための形態】
【００１６】
上記技術思想に基づいて具体的に構成された実施の形態について以下に図面を参照しつ
つ説明する。
【００１７】
まず、図１は本発明に係る籾殻処理設備の一実施形態の一部を構成する籾摺選別装置の全体構成を示した正面図である。
本籾摺選別施設は、籾米を脱ぷする籾摺部１００と、この籾摺部１００で分離した摺落米（玄米、籾米、籾殻）を籾殻選別ファン１２により風選する風選部２００と、風選後の混合米を籾・玄米に分離選別する揺動選別部３００と、その他図示しない、玄米を粒選別する粒選別部・穀粒を搬送する揚穀機・穀粒通路等により構成する。
【００１８】
籾摺部１００は、籾ホッパ１と一対の籾摺ロ−ルが内装されている籾摺室２とで構成する。また、風選部２００は次のように構成されている。即ち摺落米風選ケ−ス３内に摺落米風選路４を斜設し、摺落米風選路４の上部には、籾摺部１００から摺落米の供給される摺落米供給口５を開口している。摺落米供給口５の終端部には下方に屈曲するように籾殻風路６を接続し、籾殻風路６の終端部に対向して、籾殻選別ファン１２を配置し、籾殻選別ファン１２の吸引部を籾殻風路６の終端部に連通し、籾殻選別ファン１２の送風部を循環風路１３の始端部に連通し、循環風路１３の終端部を前記摺落米風選路４の始端部に連通している。このように、摺落米風選路４・籾殻風路６・籾殻選別ファン１２・循環風路１３の順に、循環選別風路を構成している。
【００１９】
この循環選別風路を摺落米が通過することにより籾殻が分離される。分離された籾殻は、籾殻風路６の終端部下方に設けた籾殻移送ラセン７を有する籾殻受樋８に集積し、籾殻移送ラセン７によりその終端側に移送され、籾殻繰出バルブ９で下方の籾殻排出通路１１に繰り出されることにより、風選部２００から搬出される。
【００２０】
図２は、本発明の要部である籾殻破砕機５１周辺の構成図である。
風選部２００に接続し、籾殻搬送管の一部をなす籾殻排出通路１１は、その他端を籾殻一時収容タンク５２に接続し、その籾殻一時収容タンク５２は籾殻粉砕機５１の籾殻搬入口に連接した構成としている。籾殻繰出バルブ９で繰出された籾殻はこの籾殻一時収容タンク５２に蓄えられ、この籾殻一時収容タンク５２からは設定量以下の籾殻が籾殻粉砕機５１に排出されるため、籾殻粉砕機５１の粉砕能力以上の籾殻が供給されることがなくなり、確実に籾殻を粉砕することができる。
【００２１】
本実施形態にかかる籾殻粉砕機５１は、粉砕室内で高速回転する粉砕刃５１Ａによって籾殻粉砕を行なう方式のものであるが、籾殻を加圧しつつ磨り潰しながら粉砕するスクリュー式粉砕装置を採用することもできる。籾殻粉砕機５１により粉砕された籾殻の嵩は、粉砕前の１／１０程度のものとなる。また、籾殻は分解しにくくそのままでは堆肥として用いることは難しいが、粉砕されることで堆肥として用いることが容易となる。
【００２２】
籾殻粉砕機５１の粉砕籾殻出口には、粉砕籾殻を定量的に繰り出すロータリーバルブ５３を設け、そのロータリーバルブ５３には籾殻排出通路１１の１／２から１／３程度の径の破砕籾殻排出通路５４を接続し、その破砕籾殻排出通路５４の出口は籾殻収容庫５５まで到達するように構成する。また、籾殻粉砕機５１の粉砕籾殻出口近傍には、側方から搬送空気が供給されるように送風管５６を設け、その送風管５６へは加圧送風ファンである籾殻搬送ファン５７により搬送空気が供給され、その搬送空気により破砕籾殻が籾殻収容庫５５に搬送される。
【００２３】
風選部２００と、籾殻搬送ファン５７との間に、籾殻粉砕機５１を設けたことにより、籾殻を破砕して嵩の小さい破砕籾殻とすることができ、籾殻粉砕機５１の粉砕籾殻出口から籾殻収容庫５５に至る籾殻搬送管を細くすることができると共に、籾殻収容庫５５を小さくできる。破砕方法にもよるが、籾殻収容庫の容積については、従来の１／１０程度にまで小さくできるので、設置面積が大幅に小さくなると共に、搬送管についても細くすることができるのでコストを大幅に削減することができる。また、通常の籾殻は、エア搬送を行うと部材の磨耗が大きいという問題があったが、破砕籾殻はその磨耗が少なく設備の耐久性が向上する。
【００２４】
また、風選部２００と籾殻収容庫５５とを接続する籾殻搬送管は、通常十数ｍの長さとなるため、籾殻搬送ファン５７には加圧送風ファンを用いる必要があるが、籾殻粉砕機５１により籾殻を粉砕するので、その容量を小さくしてコストを削減することができる。籾殻粉砕機５１の粉砕籾殻出口には、ロータリーバルブ５３を設ける。これにより、籾殻送風ファン５７からの搬送空気によって粉砕籾殻が粉砕籾殻出口から入り込むことを防止できる。
【００２５】
図３は、籾摺破砕機５１と、破砕した籾殻を貯蔵する籾殻収容庫５５との接続図である。通常籾殻収容庫５５は籾殻専用の収容庫として取り扱う必要があるが、粉砕された籾殻は乾燥機等で発生する塵芥とその粒径が大きく変わらないので、同じ収容庫として設置することができる。この場合、籾殻収容庫５５には粉砕籾殻搬出通路５４と接続する塵芥受入口のほかに、乾燥機等からの塵芥の通路である塵芥通過通路５９と接続する他の塵芥受入口を設ける。籾殻収容庫５５が二以上の塵芥受入口を有することにより、籾殻収容庫５５とは別の塵芥等のための収容庫を設ける必要がなくなる。
【００２６】
ライスセンター等には複数の籾殻収容庫５５を準備しており、それらは水分供給機能を有する。通常収容庫の収容効率を上げるため、破砕籾殻を収容庫５５に貯蔵した後、破砕収容庫内に水分を供給し破砕籾殻の容積を圧縮する。しかし、寒冷地の場合、籾摺りを行う時期が遅くなると夜間に外気温度が氷点下以下になることがある。この場合には水分を供給すると湿式収容庫５５Ａ内部が氷結し、破砕籾殻を湿式収容庫５５Ａから取り出すことができなくなる。そのため籾殻収容庫５５を、水分を供給する湿式収容庫５５Ａと、水分を供給しない乾式収容庫５５Ｂに分けて使用する。
【００２７】
このように収容庫を分けて使用する場合に、使用者が外気温度等を予想し、破砕籾殻搬出通路５４内にある選択弁５８を操作することも可能であるが、本実施形態においては、その選択弁５８の操作を外気温度により判断することができる制御機を設置し、自動で行うようにしている。外気温度により粉砕籾殻の収容先を、湿式収容庫５５Ａと乾式収容庫５５Ｂへ選択する制御機を有することにより、所定温度以下の場合には乾式収容庫５５Ｂを用いて内部の氷結を防止し、粉砕籾殻が搬出できないという事態を自動的に防止することができる。
【００２８】
籾殻収容庫５５は最下端中央に粉砕籾殻の吐出口６０を設け、その吐出口６０を開閉し粉砕籾殻を自然落下させて搬出する。以前までの籾殻と同様、粉砕籾殻においても搬出する場合にもブリッジ現象を生じるという問題があったため、籾殻収容庫５５の下端面に排出を促進する為のエアーバック６１と、そのエアーバック６１にエアを供給する送気装置６２を設ける構成とした。またエアーバック６１にはそのエアーバック６１内のエアを排気する為の排気弁を複数設けている。
【００２９】
このエアーバック６１は、粉砕籾殻排出を始めると同時に徐々に膨らませ、籾殻収容庫５５からの粉砕籾殻の排出を促進すると共に、粉砕籾殻が排出されたあとは複数の排気弁を用いることで効率よくエアーバック６１を元の状態に戻すことが可能となる。なお複数の排気弁のほかに送気方向を切り替える弁を設けて、より効率よくエアーバック６１を元の状態に戻すことや、粉砕籾殻のブリッジ現象を検出してエアーバック６１へのエアの供給を自動で行うことも可能である。
【００３０】
なお、本発明に係る実施形態としてライスセンター等に設置される籾殻処理設備について詳説したが、例えばコイン精米機等の小型の設備内に配備される籾殻処理設備についても本発明を適用することが可能である。
【００３１】
１  籾ホッパ
２  籾摺室
３  摺落米風選ケ−ス
４  摺落米風選路
５  摺落米供給口
６  籾殻風路
７  籾殻移送ラセン
８  籾殻受樋
９  籾殻繰出バルブ
１１  籾殻排出通路
１２  籾殻選別ファン
１３  循環風路
５１  籾殻粉砕機
５１Ａ  粉砕刃
５２  籾殻一時収容タンク
５３  ロータリーバルブ
５４  破砕籾殻搬出通路
５５  籾殻収容庫
５５Ａ  湿式籾殻収容庫
５５Ｂ  乾式籾殻収容庫
５６  送風管
５７  籾殻搬送ファン
５８  選択弁
５９  塵芥通過通路
６０  吐出口
６１  エアーバック
６２  送気装置
１００  籾摺部
２００  風選部
３００  揺動選別部
【図１】
2013086067.tif 000003
【図２】
2013086067.tif 000004
【図３】
2013086067.tif 000005
【図４】
2013086067.tif 000006